(57)【要約】【課題】ラジオなどで放送されている曲またはその曲が含まれたアルバムを購入したいと思ったとき、その曲が既に記録媒体に入っているのか否かや、ライセンスの状態などが分からなかった。【解決手段】放送局から放送中のコンテンツに関する情報をユーザーに提示する放送受信装置であって、暗号化コンテンツを蓄積する記録媒体と、放送中のコンテンツを特定するコンテンツ特定手段と、コンテンツが記録媒体に暗号化コンテンツとして蓄積されているか否かを検索する検索手段と、コンテンツ特定手段により放送中のコンテンツが特定されると特定されたコンテンツを検索手段により検索させる検索制御手段と、検索手段により検索された結果をユーザーに知らせる報知手段とを備えたことを特徴とする。【選択図】図１
2006323888.tif 000002
【特許請求の範囲】
【請求項１】
放送局から放送中のコンテンツに関する情報をユーザーに提示する放送受信装置であって、暗号化コンテンツを蓄積する記録媒体と、放送中のコンテンツを特定するコンテンツ特定手段と、コンテンツが前記記録媒体に暗号化コンテンツとして蓄積されているか否かを検索する検索手段と、前記コンテンツ特定手段により放送中のコンテンツが特定されると前記特定されたコンテンツを前記検索手段により検索させる検索制御手段と、前記検索手段により検索された結果をユーザーに知らせる報知手段とを備えたことを特徴とする放送受信装置。
【請求項２】
前記放送局から放送されるコンテンツにはコンテンツを特定する情報が含まれており、前記検索手段は前記コンテンツを特定する情報に基づいて検索を行うことを特徴とする請求項１記載の放送受信装置。
【請求項３】
前記報知手段より報知される検索結果は、放送中のコンテンツが前記記録媒体に蓄積されているか否かについての情報を含む請求項１に記載の放送受信装置。
【請求項４】
前記記録媒体には、蓄積されている暗号化コンテンツの暗号鍵に関する情報が含まれており、
前記報知手段より報知される検索結果は、報知するコンテンツに関する前記暗号鍵の有無に関する情報を含む請求項３記載の放送受信装置。
【請求項５】
前記報知手段により報知される検索結果に対してユーザが入力指示を行う入力手段をさらに備え、
前記入力手段は、前記暗号鍵が無かった場合に入力指示されると、前記コンテンツの暗号鍵を購入するためのサーバにリンク付けされている第１の入力部を含む請求項４記載の放送受信装置。
【請求項６】
前記入力手段は、前記暗号鍵が無かった場合に入力指示されると、前記コンテンツの暗号鍵を購入するためのリストに当該コンテンツを登録する第２の入力部をさらに含む請求項５記載の放送受信装置。
【請求項７】
前記放送受信装置は車に搭載され、前記車が走行中か停車中かを判定する走行判定手段をさらに有し、前記走行判定手段により走行中と判定された場合には、前記第１の入力部への入力を無効とし、前記第２の入力部への入力を有効とすることを特徴とする請求項６記載の放送受信装置。
【請求項８】
前記入力手段は車のステアリングに配置されたスイッチデバイスであることを特徴とする請求項５記載の放送受信装置。
【発明の詳細な説明】
【技術分野】
【０００１】
本発明は、デジタル著作権管理された楽曲や映画などのコンテンツのライセンス購入および再生、デジタル放送の受信が可能な放送受信装置に関する。
【背景技術】
【０００２】
近年、多種多様な情報供給メディアから得られる映画や楽曲などのコンテンツを、多数のユーザーに提供するための配信システムが開発されている。例えば、放送局側で放送する楽曲データ中に曲を特定するための楽曲関連情報を含め、楽曲受信装置では受信した楽曲データを再生すると共に、楽曲関連情報を認識して記憶しておき、利用者が楽曲関連情報を元に音楽配信サーバーへ接続し、曲データをダウンロードできるようにする技術が提案されている（例えば、特許文献１参照）。
【０００３】
また、放送局が暗号化された動画コンテンツを配信し、テレビビジョン放送受信機は受信した暗号化動画コンテンツとリンク情報をハードディスクに蓄積し、リンク情報に基づいてインターネットを介して、暗号化動画コンテンツを復号するための暗号鍵を保持するサーバーから暗号鍵を取得し、暗号化動画コンテンツを復号する技術が提案されている（例えば、特許文献２参照）。特許文献２において、ユーザがハードディスクに蓄積されているコンテンツの中から視聴したいコンテンツを選び出すには、モニターに表示された一覧表の中から所望のコンテンツを指定する。
【特許文献１】特開２００２−３１８５８７号公報
【特許文献２】特開２００４−１７９７５５号公報
【発明の開示】
【発明が解決しようとする課題】
【０００４】
しかしながら、前記従来の構成では放送中の曲に関する知識がなくても、その楽曲の購入はできるが、その曲が既にハードディスクに入っているのか否かや、暗号鍵を購入済みか否かなどの状態が分からないため、必要な手続が簡単に分からなかった。
【０００５】
本発明は前記従来の課題を解決するもので、放送中のコンテンツを記録媒体に蓄積された暗号化コンテンツの中から特定してユーザにコンテンツの状態を報知することで、ユーザがコンテンツを視聴できる条件を容易に認識することができ、購入などの必要な手続が簡単に分かる放送受信装置を提供することを目的とする。
【課題を解決するための手段】
【０００６】
前記従来の課題を解決するために、本発明の放送受信装置は、放送局から放送中のコンテンツに関する情報をユーザーに提示する放送受信装置であって、暗号化コンテンツを蓄積する記録媒体と、放送中のコンテンツを特定するコンテンツ特定手段と、コンテンツが記録媒体に暗号化コンテンツとして蓄積されているか否かを検索する検索手段と、コンテンツ特定手段により放送中のコンテンツが特定されると特定されたコンテンツを検索手段により検索させる検索制御手段と、検索手段により検索された結果をユーザーに知らせる報知手段とを備えたことを特徴とする。
【０００７】
また、放送局から放送されるコンテンツにはコンテンツを特定する情報が含まれており、検索手段はコンテンツを特定する情報に基づいて検索を行う。
【０００８】
また、報知手段より報知される検索結果は、放送中のコンテンツが記録媒体に蓄積されているか否かについての情報を含む。
【０００９】
さらに、記録媒体には、蓄積されている暗号化コンテンツの暗号鍵に関する情報が含まれており、報知手段より報知される検索結果は、報知するコンテンツに関する暗号鍵の有無に関する情報を含む。
【００１０】
さらに、報知手段により報知される検索結果に対してユーザが入力指示を行う入力手段をさらに備え、入力手段は、暗号鍵が無かった場合に入力指示されると、コンテンツの暗号鍵を購入するためのサーバにリンク付けされている第１の入力部を含む。
【００１１】
さらに、入力手段は、暗号鍵が無かった場合に入力指示されると、コンテンツの暗号鍵を購入するためのリストにそのコンテンツを登録する第２の入力部を含む。
【００１２】
さらに、車が走行中か停車中かを判定する走行判定手段を有し、走行判定手段により走行中と判定された場合には、第１の入力部への入力を無効とし、第２の入力部への入力を有効とすることを特徴とする。
【００１３】
また、入力手段は車のステアリングに配置されたスイッチデバイスであることを特徴とする。
【発明の効果】
【００１４】
記録媒体に蓄積された暗号化コンテンツの中から放送中のコンテンツを特定してユーザにコンテンツの状態を報知することで、そのコンテンツを直ぐに視聴できるかどうか、暗号鍵のみを購入すれば視聴できるのか、ハードディスクにないのでダウンロードが必要で直ぐには聴けないのか、のようなユーザがコンテンツを視聴できる条件を容易に認識することができるため、購入などの必要な手続が簡単に分かる。
【発明を実施するための最良の形態】
【００１５】
以下、本発明の一実施の形態について、図面を参照して詳細に説明する。
図１は、本実施形態にかかるコンテンツ配信システムおよび放送受信装置の概略図である。図１において、地上局２４は楽曲や動画コンテンツをデジタル放送している。地上局２４は、放送する楽曲や動画コンテンツに暗号化処理を施すと共に、コンテンツを特定するＩＤとコンテンツの情報、例えば、曲名やアーティスト名、ジャケットの写真、あらすじ情報などを付加して、衛星アンテナ２５から衛星２６を介して配信している。また、地上局２４は暗号化されたコンテンツの配信のみではなく、暗号化されていない番組放送も行っており、この番組の中には、配信した暗号化コンテンツの暗号鍵購入を促進するためのコンテンツ紹介番組なども放送されている。なお、地上局２４のからの放送は衛星放送ではなく地上のアンテナから配信される地上波放送であってもよい。
【００１６】
放送受信装置１１は車両に搭載されており、アンテナ１２で配信された信号を受け、受信部１３で暗号化コンテンツと付加されている情報を取り出し、暗号化されたままの状態でストレージ１４に蓄積する。ストレージ１４には元々暗号化されたコンテンツが沢山蓄積されており、受信部１３で受信した暗号化コンテンツがストレージ１４に既に蓄積されているか否かをチェックし、既に蓄積されている場合は新たに受信したコンテンツの蓄積を行わない。ストレージ１４としては、ＨＤＤ（Ｈａｒｄ  Ｄｉｓｋ  Ｄｒｉｖｅ）などを用いることができる。
【００１７】
この放送受信装置１１において、ユーザーは入力部１７を介してストレージ１４に蓄積されている暗号化コンテンツを検索し、付加されている情報を見たり、試聴したりすることが可能である。そして、気に入ったコンテンツが有れば、入力部１７によりそのコンテンツを指定し、通信部２０から電話回線２１を介して、管理コンピュータ２２に暗号化コンテンツを特定するＩＤを送信する。ここで、地上局２４で配信された楽曲や動画コンテンツの暗号化に使用した暗号鍵は、管理ＤＢ（ＤａｔａＢａｓｅ）２３に保存されており、管理コンピュータ２２はユーザーが指定した暗号化コンテンツの暗号鍵を、受信したＩＤに基づいて管理ＤＢ２３から取り出し、その暗号鍵を電話回線２１を介して通信部２０に送信する。
【００１８】
コントロール部１６は通信部２０が受け取った暗号鍵をストレージ１４に格納する。再生部１５はこの暗号鍵を使用すればストレージ１４に蓄積されている暗号化コンテンツを再生可能となる。なお、暗号鍵の取得は電話回線２１の代わりに、ＤＳＲＣ（Ｄｅｄｉｃａｔｅｄ  Ｓｈｏｒｔ  Ｒａｎｇｅ  Ｃｏｍｍｕｎｉｃａｔｉｏｎ）やインターネットを用いてもよい。
【００１９】
また、受信部１３は暗号化されていないコンテンツが放送されている番組を受信すると、そのコンテンツを取り出して再生部１５に供給する。そして、再生部１５はその暗号化されていないコンテンツを再生する。受信部１３は、暗号化されていないコンテンツの再生中に、そのコンテンツを特定する情報を受信しコントロール部１６に提供する。コントロール部１６は、そのコンテンツに対応する暗号化コンテンツがストレージ１４内に有るかどうかを調べて、ストレージ１４内の暗号化コンテンツの情報を、情報出力部１８がディスプレイ表示によってユーザーに報知する。同時に、放送中のコンテンツまたは関連するコンテンツの暗号鍵購入の為の入力インターフェースを、入力部１７はタッチパネルによって提供する。ユーザーが車のスピーカーから聞こえている曲を自動車運転中にストレージ１４内のコンテンツから検索することは安全上困難であるが、コンテンツを自動的に特定し、コンテンツの有無や暗号鍵の有無を表示すると同時に、暗号鍵購入の為の釦を提供することでユーザーは容易に放送中のコンテンツを購入できる。
【００２０】
走行判定部１９は車両の車速情報を入力し、車両が走行中か停止中かの判定を行う。コントロール部は走行判定手段１９の判定結果を受けて、報知内容やユーザーによる入力対象を変更する。
【００２１】
次に図２〜１３を用いて、暗号化されていないコンテンツが放送されている時の放送受信装置１１の動作について詳しく説明する。
【００２２】
図２はコントロール部１６の構成を示すブロック図である。コンテンツ特定手段６１は受信部１３によって受信した曲名、アーティスト名などのコンテンツを特定する情報からコンテンツを特定（曲や映画を特定）する。検索制御手段６２は、コンテンツ特定手段６１によって特定されたコンテンツまたは特定されたコンテンツを含むコンテンツ（アルバム）を、ストレージ１４内から、コンテンツ検索手段６３に検索させる。結果判定手段６４はコンテンツ検索手段６３で検索されたコンテンツについて、ライセンス取得済であるか否かを判定する。報知情報決定手段６５はコンテンツ検索手段６３による検索結果と結果判定手段６４によるライセンス情報と走行判定手段１９による走行状態と報知内容（音声による報知の有無やディスプレイによる報知のパターン設定など）を特定するためのユーザーによる設定情報とから報知内容を決定し、情報出力部１８に出力する。
【００２３】
次に図３を用いて処理の手順を説明する。図３は暗号化されていないコンテンツの放送を受信するときの処理手順を示している。ここで、ストレージ１４はＨＤＤ、入力部１７はタッチスクリーンとして説明する。まず、ステップＳ１００で受信情報に「曲名」、「アーティスト名」が有るか無いかを判定し、「曲名」、「アーティスト名」の情報が無い場合はステップＳ１０２に進み、ステップＳ１００へ戻る。
【００２４】
図４は情報出力部１８における画面表示の一例を示しており、「曲名」、「アーティスト名」の情報が無い場合は、「曲名」、「アーティスト名」の部分が「――」や「――――――」のように表示される（ステップＳ１０２）。また、何も表示しないことで、「曲名」、「アーティスト名」情報が無いことを表現してもよい。
【００２５】
ステップＳ１００で「曲名」、「アーティスト名」が有る場合は、ステップＳ１０１へ進み、図４の様に「曲名」、「アーティスト名」情報を表示する。次にステップＳ１０３へ進み、ＨＤＤ内に再生中の曲およびその曲を含むアルバムのデータが存在するか否かを調べる。ステップＳ１０３の処理について図２を用いて説明すると、検索制御手段６２がコンテンツ特定手段６１からコンテンツを特定する情報である「曲名」、「アーティスト名」を受取り、コンテンツ検索手段６３にＨＤＤ内のコンテンツ管理データベースを検索させて、特定の曲（シングル）または、特定の曲を含むコンテンツ（アルバム）を検索させ、結果をフィードバックさせる。
【００２６】
図５はＨＤＤ内に蓄積されるデータを示しており、コンテンツ管理ＤＢ４３には、蓄積されているコンテンツの曲名，アーティスト名，コンテンツＩＤなどのコンテンツ情報４４と、ライセンス情報４５と、プレイリスト情報４６と、再生履歴情報４７が記録されている。
【００２７】
次に、ステップＳ１０４に進みデータが存在したかを調べ、データが存在した場合はステップＳ１０５へ進み、データが存在しなかった場合はステップＳ１０６へ進む。ステップＳ１０６では図６に示す様に、情報出力部１８に、ＨＤＤ内にデータが無いことを表示すると共に、「お知らせ予約」釦２２２をタッチスクリーン内に表示して、ステップＳ１１２へ進む。ここで、「お知らせ予約」釦２２２を押すと、今後そのデータを受信した場合に、購入のためのお知らせを受けるためのお知らせ予約が可能になる。
【００２８】
ステップＳ１０５ではＨＤＤに存在したデータが再生のためのライセンスを保有しているかどうかを確かめる。ライセンス情報４４はＨＤＤ内のライセンス管理ＤＢ４３に記載されている。次に、ステップＳ１０７へ進みＨＤＤに存在したデータの中で再生のためのライセンスが無いデータの存在を確認し、ライセンスの無いデータが存在しない場合はステップＳ１０８へ進み、ライセンスが無いデータが存在する場合はステップＳ１０９へ進む。
【００２９】
ステップＳ１０８では図７に示すように、情報出力部１８に、保有するシングルやアルバムのジャケット写真２３２、２３３、および「曲名」、「アーティスト名」２３１を表示すると共に、既にライセンスが有りＨＤＤオーディオとして再生できることが分かる表示をする。本実施形態ではジャケット写真に「ＨＤＤ」マーク２３４，２３５を表示し、これを表現している。
【００３０】
また、ジャケット写真２３２、２３３は再生開始釦を兼ねており、タッチスクリーンのジャケット写真２３２、２３３を押下することにより再生を開始させることができる。なお、ジャケット写真データがない場合は四角の領域内にタイトル名を記載して表示する、またはジャケット写真がないことを意味するイラストなどを表示する。
【００３１】
次に、ステップ１０９では車両が走行中か停車中かを判断し、走行中の場合はステップＳ１１１へ進み、停止中の場合はステップＳ１１０へ進む。ステップ１１０では図８に示すようにＨＤＤに存在するシングルおよびアルバムのジャケット写真２１３，２１４やタイトルを表示し、それぞれのコンテンツについて再生のためのライセンスの有無が分かる表現とする。
【００３２】
図８ではライセンスを保有しているコンテンツは、ＨＤＤオーディオとして再生できることを表すための「ＨＤＤ」マーク２１６を表示し、再生のためのライセンスがないコンテンツには「未」マーク２１５を「ＨＤＤ」マーク２１６とは異なる色で表示する。また、「未」マーク２１５を表示しているライセンスのないコンテンツのジャケット写真２１３は、ライセンス購入画面へ遷移するための釦となっており、「ＨＤＤ」マーク２１６を表示しているライセンスを保有するコンテンツのジャケット写真２１４はコンテンツの再生開始釦になっている。
【００３３】
ここで、停車中であっても信号待ちなどの短い停車時間中には購入手続きを行うことが困難であるため、後ほどの購入手続が可能となるように「予約」釦２１１を配置している。この「予約」釦２１１を押しておけば、再生中の曲を含むコンテンツの中でライセンスの無いコンテンツを購入予約リストに追加することができる。
【００３４】
そして、停止中には購入予約リストに登録したコンテンツの購入手続きを開始するための「予約リスト表示」釦２１７も画面内に表示する。全ての表示が完了するとステップＳ１１２へ進む。
【００３５】
なお、上記実施形態ではマークの表示によりライセンスの有無を表したが、ライセンスを保有するコンテンツのジャケット写真をライセンスを保有しないコンテンツのジャケット写真に比べてトーンダウンさせるようにしても良い。このようにすることで、ライセンスを持たないコンテンツだけがより目立つようになり、欲しいライセンスを購入しようとしているユーザーがライセンスの無いコンテンツをすばやく発見できるようになる。
【００３６】
次に、ステップＳ１０９で車両が走行中と判断されると、ステップＳ１１１では図９に示す様な画面を表示する。走行中はライセンス購入画面への遷移はできないようにしており、後ほどライセンス購入ができるように「予約」釦２４１をタッチスクリーン上に表示し、押下することで予約リストへ登録できるようになっている。停車中の場合の表示画面である図８と比較して異なる点は、走行中の操作となるため「予約」釦２４１は目立つ色とし、サイズも大きめであることが好ましく、走行中の操作をしやすくするために、「予約」釦２４１はタッチスクリーン上のみではなくステアリング上に配置されていてもよい。表示が完了するとステップＳ１１２へ進む。
【００３７】
なお、予約リストへの登録が行えるのは、タッチスクリーン上の「予約」釦２４１およびステアリングに配置された「予約」スイッチのみではなく、音声入力により「予約」と発話すれば予約リストへ登録できるようになっていてもよい。
【００３８】
次に、ステップＳ１１２では、タッチスクリーン上の釦が押されたかどうかを監視し、釦が押下された場合はステップＳ１１３の処理Ａ（後述する釦毎の処理）を行い、ステップ１１４へ進む。ステップＳ１１２で釦が押されなかった場合は、ステップＳ１１４へ進む。
【００３９】
ステップＳ１１４では、放送中の曲が別の曲に変わったかどうかを判断し、変わらなかった場合はステップＳ１１２へ戻り、曲が変わった場合はステップＳ１１５で画面上のコンテンツ情報や釦、「曲名」、「アーティスト名」をクリアし、ステップＳ１００へ戻る。
【００４０】
次に、ステップ１１３の処理Ａについて説明する。まず、ステップＳ１０６の図６の画面２２０が表示されている場合について、説明する。「お知らせ予約」釦２２２を押下すると、「お知らせ予約に登録しました。」のメッセージが情報出力部１８に表示され、「お知らせ予約」釦２２２が予約済表示に変化し、押下できなくなる。お知らせ予約に登録されているライセンスの無いコンテンツを受信機が受信しハードディスク内に蓄積されると、走行中であれば図９に示す画面２４０のような画面でユーザーに知らせ、走行中でなければ図８の画面２１０の様な画面でユーザーにコンテンツのライセンスが購入可能であることを知らせる。
【００４１】
次に、ステップ１０８の図７の画面２３０が表示されている場合にライセンス購入済のジャケット写真２３２や２３３を押下すると、指定されたハードディスクオーディオの再生が開始すると同時に、通常のハードディスクオーディオの画面（曲名、カウンタ、タイトル（アルバムの場合）、アーティスト名、ジャケット写真が表示された画面）に切り替わる。
【００４２】
次に、ステップ１１１の図９の画面２４０が表示されている場合に、この画面で押下可能な「予約」釦２４１を押下すると、「予約」釦２４１はトーンダウンし、ライセンスを保有していないことを表す「未」マーク２４５が、図１０に示すように「予約」マーク２８５に変化する。
【００４３】
次に、ステップ１１０の図８の画面２１０が表示されている場合に「予約」釦２１１を押下すると、画面２４０での処理と同様に予約釦２１１がトーンダウンし、「未」マーク２１５が「予約」マークに変化する。ライセンスを保有するコンテンツのジャケット写真２１４を押下するとそのコンテンツが再生され、通常のハードディスクオーディオ再生モード（曲名、カウンタ、タイトル（アルバムの場合）、アーティスト名、ジャケット写真が表示された画面）へ移行する。ライセンスを保有しないコンテンツのジャケット写真２１３を押下すると、図１１に示すライセンス購入画面２９０へ移行する。
【００４４】
この画面ではアルバム内の曲名などの情報を見ることができることに加えて、「試聴」釦２９３を押すことにより１曲あたり３０秒程度の試聴が可能である。ライセンスを購入しない場合は、「戻る」釦２９１を押下すると図８の画面２１０へ戻る。そして、ライセンスを購入する場合、「ライセンス購入」釦２９４を押下すると、ライセンスを購入することができる。ライセンスが購入されると、「今すぐ再生しますか？」のオンスクリーンが表示され、「はい」の承認釦を押下することで再生が開始し、通常のハードディスクオーディオ再生モードになる。また、「いいえ」を選択すると再生されずに、購入したコンテンツの「未」マークが「ＨＤＤ」マーク２３４に変化した図７の画面２３０に遷移する。このときライセンスを保有しないコンテンツが存在しなければ、予約釦はトーンダウンするか消去されている。
【００４５】
図８の画面２１０において、予約リスト表示釦２１７を押下すると、図１２に示す予約リスト一覧画面２５０に遷移する。予約リスト一覧画面２５０では、予約されているコンテンツの予約リスト２５３が表示され、予約されたコンテンツの購入ができるほか、予約リスト２５３からコンテンツを削除することもできる。例えば、予約リスト２５３の釦を押下すると、図１３に示すような、予約リスト２５３に登録されていたコンテンツおよびそのコンテンツを含むアルバムのライセンス保有状態が分かる画面２６０へ遷移し、「未」マーク２６５の表示されてるコンテンツのジャケット写真２６３を押下することにより、ライセンス購入画面へ遷移することができる。ライセンスの購入完了時、または「戻る」釦２６１の押下により、図１２の予約リスト一覧画面２５０へ戻ることができる。
【００４６】
ここまでの画面遷移の説明はオーディオ単独の場合を説明したが、例えばナビゲーションの案内中や映像を含む放送を受信中の場合に、自動的に画面が遷移して急に見えなくなると不便である。そのため、例えばナビゲーション案内中の様に、オーディオ以外で画面を使用している時は、図１４の画面２７０に示すような「コンテンツ確認」釦２７１が画面の中に配置されている。そして、ライセンス購入可能なコンテンツをハードディスクに保有している場合には、コンテンツ確認釦２７１の色を変化させてユーザーに知らせると同時に効果音や音声で案内する。このとき、コンテンツ確認釦２７１を押下すると、停車中か走行中かによって図８または図９の画面に遷移する。
【００４７】
なお、このときの遷移先の画面は全面に表示するのではなく、例えば、図１５に示すようにナビゲーションなどの現在使用中のアプリケーション画面を画面の左半分に表示し、右半分に遷移した場合の画面を表示しても良い。
【００４８】
以上のように、本発明の放送受信装置によれば、放送中のコンテンツを記録媒体に蓄積された暗号化コンテンツの中から特定してユーザにコンテンツの状態を報知することで、そのコンテンツを直ぐに視聴できるかどうか、暗号鍵のみを購入すれば視聴できるのか、ハードディスクにないのでダウンロードが必要で直ぐには聴けないのか、のようなユーザがコンテンツを視聴できる条件を容易に認識することができるため、購入などの必要な手続が簡単に分かる。
【００４９】
なお、本実施の形態において放送受信装置は車両に搭載された場合を示したが、それに限ることは無く、家庭用のオーディオ装置等でも利用することができる。
【００５０】
また、本発明の放送受信装置で扱うコンテンツは楽曲のみでなく、カラオケ、映画などの映像コンテンツ、ゲームソフトなどでも良い。
【産業上の利用可能性】
【００５１】
本発明にかかる放送受信装置は、ユーザがコンテンツを視聴できる条件を容易に認識することができるため、購入などの必要な手続が簡単に分かるという効果を有し、家庭用オーディオ装置や車載用のオーディオ装置等に有用である。
【図面の簡単な説明】
【００５２】
【図１】本発明の実施の形態にかかる放送配信システムおよび放送受信装置の概略図
【図２】コントロール部の構成を示すブロック図
【図３】本発明の実施の形態にかかる放送受信装置の処理の流れを示すフローチャート
【図４】本発明の実施の形態にかかる放送受信装置が暗号化されていないコンテンツの放送を受信したときの情報出力部における画面表示の一例を示す図
【図５】ストレージ内に蓄積されているデータの構成図
【図６】ストレージ内にデータがなかったときにお知らせ予約をする画面表示の一例を示す図
【図７】ライセンスの無いデータが存在しなかった場合の画面表示の一例を示す図
【図８】ライセンスが無いデータが存在し停車中の場合の画面表示の一例を示す図
【図９】ライセンスが無いデータが存在し走行中の場合の画面表示の一例を示す図
【図１０】図９において「予約」釦を押下したときの画面表示の一例を示す図
【図１１】図８において「予約」釦を押下したときのライセンス購入の画面表示の一例を示す図
【図１２】図８において予約リスト表示釦を押下したときの予約リスト一覧の画面表示の一例を示す図
【図１３】図１２において予約リストの釦を押下したときの画面表示の一例を示す図
【図１４】ナビゲーションの案内中に暗号化されていないコンテンツの放送を受信したときの画面表示の一例を示す図
【図１５】図１４においてコンテンツ確認釦を押下したときの画面表示の一例を示す図
【符号の説明】
【００５３】
１１    放送受信装置
１２    アンテナ
１３    受信部
１４    ストレージ
１５    再生部
１６    コントロール部
１７    入力部
１８    情報出力部
１９    走行判定部
２０    通信部
２１    電話回線
２２    管理コンピュータ
２３    管理DB
２４    地上局
２５    衛星アンテナ
２６    衛星
６１    コンテンツ特定手段
６２    検索制御手段
６３    コンテンツ検索手段
６４    結果判定手段
６５    報知情報決定手段
【図１】
2006323888.tif 000003
【図２】
2006323888.tif 000004
【図３】
2006323888.tif 000005
【図４】
2006323888.tif 000006
【図５】
2006323888.tif 000007
【図６】
2006323888.tif 000008
【図７】
2006323888.tif 000009
【図８】
2006323888.tif 000010
【図９】
2006323888.tif 000011
【図１０】
2006323888.tif 000012
【図１１】
2006323888.tif 000013
【図１２】
2006323888.tif 000014
【図１３】
2006323888.tif 000015
【図１４】
2006323888.tif 000016
【図１５】
2006323888.tif 000017